(57)【要約】【課題】型紙シートを用いて路面標示を容易に形成することを特徴とする路面標示の施工方法を提供する。【解決手段】文字記号等の所要形状をくりぬいて中空部を設けた型紙シートに、表面保護用の剥離紙を被着し裏面には型紙シートが路面に仮接着できる様に仮接着用の接着剤を塗布して裏面保持用の剥離紙を貼着した構成から成る型紙シートを用いて、路面標示を容易に形成せしめることを特徴とする路面標示の施工方法である。【選択図】図１
2015165078.tif 000002
【特許請求の範囲】
【請求項１】
文字記号等の所要形状をくりぬいて中空部を設けた型紙シートに、表面保護用の剥離紙を被着し裏面には型紙シートが路面に仮接着できる様に仮接着用の接着剤を塗布して裏面保持用の剥離紙を貼着した構成から成る型紙シートを用いて、路面標示を容易に形成せしめることを特徴とする路面標示の施工方法。
【請求項２】
請求項１に記載の路面標示の施工方法であって、型紙シート及び剥離紙は樹脂製シートであってもよい。
【発明の詳細な説明】
【技術分野】
【０００１】本発明は、型紙シートを用いて路面標示を容易に形成することを特徴とする路面標示の施工方法に関するものである。
【背景技術】
【０００２】路面には、さまざまな文字記号や絵図柄が多数標示されている。標示方法は、貼付式、溶融式やペイントなどの塗布が一般に用いられている。
従来、ペイントで路面に文字記号等の標示を形成する際には、文字記号等をくり抜いた金属製板の型枠を路面上に仮置きして刷毛等でくり抜き中空部をペイントで塗布する方法が知られている。
【先行技術文献】
【特許文献】
【０００３】
【特許文献１】漢字、平仮名、片仮名、アルファベツト、数字、記号からなる群から選ばれた少なくとも１つである記号片を複数個並列させた情報列により利用者に情報の伝達するものであって、前記情報列が前記記号片を並列させた方向に縦長若しくは横長となされると共に、前記情報列の長手方向の長さが、前記短方向の幅に対して、１．６２倍を超える長さとなされていることを特徴とする路面標示を形成する方法であって、前記情報列の形状にくりぬかれた型枠を路面に設置しておき当該枠上に溶融させた溶融型路面標示用塗料をスリットから出させつつ溶融型路面標示用の冷却固化後に前記型枠を取り除くことを特徴とする路面標示の形成方法。一方の面を路面に接着することで前記記載の路面標示となされることを特徴とする路面標示シート。前記情報列は、途中で切断されることなく一体となされていることを特徴とする前記記載の路面標示用シート。前期情報列は、前記記号片と一体に設けられた補助片により途中で切断されることなく一体となされていることを特徴とする前記記載の路面標示用シート。前記情報列は、前記記号片が下地シート上に接着されて形成されてることを特徴とする前記記載の路面標示用シートが特許取得されている。（特許４７５４２８６号参照）
【非特許文献】
【０００４】
【非特許文献１】平面方形の合成樹脂シートの裏面の周囲にグリーンの着色された方形の枠部を描き上記枠部の内部には黄色に着色された「文」の図柄を描き出した路面添着用の区画用シート本体において、当該路面における自動車の進行方向と直交する線は、上記進行方向の線より太く構成した道路区画用シートが開示されている。（実開昭５２−４２５３１号広報参照）
【非特許文献２】またゴム又は軟質合成樹脂よりなる素材で矢印等の形状に一体成形したシートを作り、裏面に剥離紙を貼ってなる道路の指示標示の構造が開示されている。（実開昭５９−３８５２０号広報参照）
【非特許文献３】路面標示を路面に形成するに際し、型孔を有するテンプレートを路面に拡げ、塗布巾が調節可能な塗布機をテンプレート上に移動させることを特徴とする路面標示の方法。型孔をシート材に形成してなり、当該シート材は、表面に保護皮膜を有するを特徴とする路面標示の施工用テンレート。前記シート材は、シート状の繊維構造体であることを特徴とする路面標示の施工用テンプレート。前記保護皮膜は、液材を塗布して形成することを特徴とする路面標示の施工用テンプレートが開示されている。（特開２０００−３４５５１４号参照）
【発明の概要】
【発明が解決しようとする課題】
【０００５】従来、ペイントで路面に文字記号等の標示を形成する際には文字記号記号等をくり抜いた金属製板の型枠を路面上に仮置きし、刷毛等でくり抜き中空部をペイントで塗布する方法が一般に知られてれているが次のような問題点があった。
（イ）使用する金属製板の型枠は、製作するのにかなりの時間と費用を要した。
（ロ）特に文字等のくり抜きは、いわゆる一筆書き状にくり抜きが出来ない場合が多くその時には、やもうえずくり抜き中空部の断片の集合体で形成してから製作するので文字記号の標示は断片化されて表現されるので判読し難く大変見苦しい。
（ハ）仮置き時には、路面の凹凸と金属製板の型枠との隙間から塗料がはみ出たり流れ出たりするので文字記号等の標示は汚らしく満足できる出来栄えに欠けた。
（二）金属製板の型枠を再使用する場合には、付着塗料の除去を要するので使用直後に迅速に行なうヘラやウエスを使っての作業は大変に面倒であった。
（ホ）金属製板の型枠は、重くかさばるので移動運搬に手間がかかり大変面倒であった。
本発明は、以上の問題点を解決するためになされたものである。
【課題を解決するための手段】
【０００６】本発明は、文字記号等の形状をくりぬいてくり抜き中空部を設けた型紙シートに、表面保護用の剥離紙を被着し、裏面には型紙シートが路面に仮接着できる様にするために仮接着用の接着剤を塗布して、その塗布面を保持するために裏面保持用の剥離紙を貼着した構成から成る型紙シートを用いて路面標示を容易に形成せしめることを特徴とする路面標示の施工方法である。【０００７】なお、型紙シート及び剥離紙は、樹脂製シートであってもよい。
【発明の効果】
【０００８】本発明は、使用する型紙シートは製作費が安価でしかも軽量柔軟なので道路標示施工での施工管理及び移動運搬が容易であり特に大量施工の場合には工期の短縮が図れる。また、少量とびとび施工の場合の移動運搬にも優れ大変有効である。
型紙シートを路面に仮接着した時には、従来よりも密着度が優れるので塗布した塗料が路面との隙間から流出せず精確な文字記号標示等を形成することが出来る。
また、使用済みの型紙シートは産業廃棄物の発生がない。
【図面の簡単な説明】
【０００９】
【図１】  本考案の型紙シートの斜視図である。
【図２】  本考案の型紙シートの断面図である。
【図３】  本考案の型紙シートの分解斜視図である。
【図４】  本考案の実施完成例である。
【図５】  従来の実施完成例である。
【発明を実施するための形態】
【００１０】以下本発明の実施の形態を説明する。
【実施例】
【００１１】文字記号等の形状をくり抜いて、くり抜き中空部（４）を設けた型紙シート（１）の裏面には、路面に仮接着が出来るように仮接着用の接着剤を塗布し、仮接着用の接着剤保持の為に裏面保持用剥離紙（２）を貼着する。また型紙シート（１）の表面には表面保護用剥離紙（３）を被着せしめる。
なお、仮接着用の接着剤の塗布は裏面全面でなく上端部等を適宜に除いてもよい。
本発明で使用する型紙シートは以上の構成から成っている。【００１２】本発明を実施するときは、設置箇所が濡れていないことを確認しデッキブラシ等でよく路面を清掃してから、本発明の型紙シート（１）に貼着した裏面保持用剥離紙（２）の上端部を適宜幅横長にめくり下げて外側に折り曲げておく。その際の型紙シート（１）の裏面上端部には仮接着用の接着剤塗布面が現われるが、その状態のまま路面に上向きに仮置きして設置位置を確定する。養生テープで表面上端部を横長に路面にしっかりと仮止めする。その際に裏面のめくり下げてある仮接着用の接着剤の塗布面が路面に接し圧着されるので、仮接着がより安定化する。
この時、仮止めしをした上端部以外は自在となつている。【００１３】次に、めくり下げてある裏面保持用剥離紙（２）を下端部に向けて抜きとる要領で徐々に剥がし取る。剥がし取りながら同時進行で仮接着用の接着剤を塗布してある型紙シート（１）の裏面を路面に手で押しつけて仮接着する。さらに手で圧したり踏みつけたり、ゴムハンマーで叩いたりして仮接着の密着化を図る。また表面保護用剥離紙（３）の下端部を適宜めくり上げると型紙シート（１）の下端部が現われるので、その部分を養生テープでしっかりと路面に仮止めし、仮接着全体の安定化を図る。【００１４】なお、養生テープに代えてガムテープや梱包用テープでもよい。【００１５】めくり上げてある表面保護用剥離紙（３）を上方向に向かってめくり上げながら丁寧に剥がし取る。
なお、表面保護用剥離紙（３）の剥がし取りはペイント塗料の塗布作業に必要な範囲のみを先行して剥がし取り、後で全体を剥がしてもよい。【００１６】型紙シート（１）のくり抜き中空部（４）を刷毛等を使用して路面標示用のペイント塗料を塗布する。塗料が生乾きになったのを見計らい仮止めの養生テープと型紙シート（１）の全部を路面から剥がし取り撤去する。
この結果、路面に精確な文字記号等の標示が形成される。
【符号の説明】
【００１７】  １  型紙シート
２  裏面保持用剥離紙
３  表面保護用剥離紙
４  くり抜き中空部
【図１】
2015165078.tif 000003
【図２】
2015165078.tif 000004
【図３】
2015165078.tif 000005
【図４】
2015165078.tif 000006
【図５】
2015165078.tif 000007